(57)【要約】      （修正有）【課題】ＭＭＴ（ＭＰＥＧ  Ｍｅｄｉａ  Ｔｒａｎｓｐｏｒｔ）方式とＴＳ（Ｔｒａｎｓｐｏｒｔ  Ｓｔｒｅａｍ）方式の受信機内情報更新サービスの両方から更新用のデータのダウンロード可能な装置、システム、方法及びプログラムを提供する。【解決手段】受信装置の制御部３３１は、ＭＭＴ方式により送信されるデータ提供の告知情報から、データ提供元のネットワークを示すネットワーク識別情報と、データのダウンロードに必要な情報とを検出する告知情報検出部３３４と、告知情報検出部３３４が検出するネットワーク識別情報が、予め定められるネットワーク識別情報と一致するか否かを判定する判定部３３５と、判定部３３５が一致すると判定した場合にのみ、ＭＭＴ方式に従って記述されているデータのダウンロードに必要となる情報を、ＴＳ方式の情報として読み替えてデータ提供元のネットワークからデータのダウンロードを行うデータ取得部３３７とを備える。【選択図】図１１
2017085196.tif 000002
【特許請求の範囲】
【請求項１】
第１の送信方式により送信される告知情報であって、データの提供を告知する告知情報から、前記データの提供元のネットワークを示すネットワーク識別情報と、前記データのダウンロードに必要となる情報とを検出する告知情報検出部と、
前記告知情報検出部が検出する前記ネットワーク識別情報が、予め定められるネットワーク識別情報と一致するか否かを判定する判定部と、
前記判定部が一致すると判定した場合にのみ、前記第１の送信方式にしたがって記述されている前記データのダウンロードに必要となる情報を、前記第１の送信方式とは異なる第２の送信方式の情報として読み替えて前記提供元のネットワークから前記データのダウンロードを行うデータ取得部と、
を備える受信装置。
【請求項２】
前記第１の送信方式とは、ＭＭＴ方式であり、
前記第２の送信方式とは、ＴＳ方式である
請求項１に記載の受信装置。
【請求項３】
前記データ取得部は、前記判定部が一致しないと判定した場合、前記データのダウンロードを行わない
請求項１又は請求項２に記載の受信装置。
【請求項４】
前記データ取得部は、前記判定部が一致しないと判定した場合、前記第１の送信方式にしたがって記述されている告知情報に含まれる前記データのダウンロードに必要となる情報を、前記第２の送信方式の情報として読み替えずに、前記提供元のネットワークから前記データのダウンロードを行う
請求項１又は請求項２に記載の受信装置。
【請求項５】
第１の送信方式で送信を行う第１の送信装置と、前記第１の送信方式とは異なる第２の送信方式で送信を行う第２の送信装置と、受信装置とを備える放送システムであって、
前記受信装置が、
データの提供を告知する告知情報から、前記データの提供元のネットワークを示すネットワーク識別情報と、前記データのダウンロードに必要となる情報とを検出する告知情報検出部と、
前記告知情報が前記第１の送信方式で送信される場合、前記告知情報検出部が検出する前記ネットワーク識別情報が、前記第２の送信装置に対応するネットワーク識別情報と一致するか否かを判定する判定部と、
前記判定部が一致すると判定した場合にのみ、前記第１の送信方式にしたがって記述されている前記データのダウンロードに必要となる情報を、前記第２の送信方式の情報として読み替えて前記第２の送信装置から前記データのダウンロードを行うデータ取得部と、
を備える放送システム。
【請求項６】
受信装置が、第１の送信方式により送信される告知情報であって、データの提供を告知する告知情報から、前記データの提供元のネットワークを示すネットワーク識別情報と、前記データのダウンロードに必要となる情報とを検出する第１ステップと、
前記受信装置が、検出した前記ネットワーク識別情報が、予め定められるネットワーク識別情報と一致するか否かを判定する第２ステップと、
前記受信装置が、前記第２ステップにおいて一致すると判定した場合にのみ、前記告知情報の送信方式にしたがって記述されている前記データのダウンロードに必要となる情報を、前記第１の送信方式とは異なる第２送信方式の情報として読み替えを行って前記提供元のネットワークから前記データのダウンロードを行う第３ステップと、
を含む受信方法。
【請求項７】
コンピュータに、
第１の送信方式により送信される告知情報であって、データの提供を告知する告知情報から、前記データの提供元のネットワークを示すネットワーク識別情報と、前記データのダウンロードに必要となる情報とを検出する第１ステップ、
検出した前記ネットワーク識別情報が、予め定められるネットワーク識別情報と一致するか否かを判定する第２ステップ、
前記第２ステップにおいて一致すると判定した場合、前記告知情報の送信方式にしたがって記述されている前記データのダウンロードに必要となる情報を、前記第１の送信方式とは異なる第２送信方式の情報として読み替えて前記提供元のネットワークから前記データのダウンロードを行う第３ステップ、
を実行させるための受信プログラム。
【発明の詳細な説明】
【技術分野】
【０００１】
本発明は、受信装置、放送システム、受信方法、及び受信プログラムに関する。
【背景技術】
【０００２】
４Ｋ／８Ｋ超高精細テレビジョン放送（４Ｋ／８Ｋ  ＵＨＤＴＶ：  Ｕｌｔｒａ  Ｈｉｇｈ  Ｄｅｆｉｎｉｔｉｏｎ  Ｔｅｌｅｖｉｓｉｏｎ）のメディア伝送規格であるＭＭＴ（ＭＰＥＧ（Ｍｏｖｉｎｇ  Ｐｉｃｔｕｒｅ  Ｅｘｐｅｒｔｓ  Ｇｒｏｕｐ）  Ｍｅｄｉａ  Ｔｒａｎｓｐｏｒｔ）方式において、受信装置内のソフトウェア等のデータを更新する受信機内情報更新サービスが非特許文献１に示す仕様に定められている。
【０００３】
当該仕様では、ＭＭＴ方式で放送を受信する受信装置であっても、受信機内情報更新サービスにおいて、多重化方式がＭＰＥＧ−２  Ｓｙｓｔｅｍの放送システム、すなわちＴＳ（Ｔｒａｎｓｐｏｒｔ  Ｓｔｒｅａｍ）方式が適用されるＢＳデジタル放送等の受信機内情報更新サービスを利用してもよいことが定められている。ＴＳ方式の受信機内情報更新サービスを利用する場合、ＭＭＴ方式により通知される告知情報の一部をＴＳ方式における受信機内情報更新サービスで用いられる情報として読み替えを行い、更新用のデータが提供される伝送チャネルに切り替えて更新用のデータを取得する必要がある。
一方、受信機内情報更新サービスでは、ＢＳデジタル放送等の既存の受信機内情報更新サービスが利用され、高度広帯域衛星デジタル放送でのサービスは当面行われないことが想定される。
【先行技術文献】
【非特許文献】
【０００４】
【非特許文献１】一般社団法人  電波産業会、「高度広帯域衛星デジタル放送用受信装置、標準規格（望ましい仕様）、ＡＲＩＢ  ＳＴＤ−Ｂ６３  １．３版」、平成２７年９月３０日
【発明の概要】
【発明が解決しようとする課題】
【０００５】
しかしながら、ＴＳ方式の受信機内情報更新サービスのみを想定して、受信する告知情報の全てに対して上記の読み替えを行うと、将来、ＭＭＴ方式により受信機内情報更新サービスが提供された場合、現行の受信装置では、ＭＭＴ方式によって受信機内情報更新サービスを受けられないという問題が発生する可能性がある。
【０００６】
本発明は、上記問題を解決すべくなされたもので、その目的は、ＭＭＴ方式とＴＳ方式の受信機内情報更新サービスの両方から更新用のデータのダウンロードを行うことを可能とする受信装置、放送システム、受信方法、及び受信プログラムを提供することにある。
【課題を解決するための手段】
【０００７】
上記問題を解決するために、本発明の一態様は、第１の送信方式により送信される告知情報であって、データの提供を告知する告知情報から、前記データの提供元のネットワークを示すネットワーク識別情報と、前記データのダウンロードに必要となる情報とを検出する告知情報検出部と、前記告知情報検出部が検出する前記ネットワーク識別情報が、予め定められるネットワーク識別情報と一致するか否かを判定する判定部と、前記判定部が一致すると判定した場合にのみ、前記第１の送信方式にしたがって記述されている前記データのダウンロードに必要となる情報を、前記第１の送信方式とは異なる第２の送信方式の情報として読み替えて前記提供元のネットワークから前記データのダウンロードを行うデータ取得部と、を備える受信装置である。
【０００８】
また、本発明の一態様は、第１の送信方式で送信を行う第１の送信装置と、前記第１の送信方式とは異なる第２の送信方式で送信を行う第２の送信装置と、受信装置とを備える放送システムであって、前記受信装置が、データの提供を告知する告知情報から、前記データの提供元のネットワークを示すネットワーク識別情報と、前記データのダウンロードに必要となる情報とを検出する告知情報検出部と、前記告知情報が前記第１の送信方式で送信される場合、前記告知情報検出部が検出する前記ネットワーク識別情報が、前記第２の送信装置に対応するネットワーク識別情報と一致するか否かを判定する判定部と、前記判定部が一致すると判定した場合にのみ、前記第１の送信方式にしたがって記述されている前記データのダウンロードに必要となる情報を、前記第２の送信方式の情報として読み替えて前記第２の送信装置から前記データのダウンロードを行うデータ取得部と、を備える放送システムである。
【０００９】
また、本発明の一態様は、受信装置が、第１の送信方式により送信される告知情報であって、データの提供を告知する告知情報から、前記データの提供元のネットワークを示すネットワーク識別情報と、前記データのダウンロードに必要となる情報とを検出する第１ステップと、前記受信装置が、検出した前記ネットワーク識別情報が、予め定められるネットワーク識別情報と一致するか否かを判定する第２ステップと、前記受信装置が、前記第２ステップにおいて一致すると判定した場合にのみ、前記告知情報の送信方式にしたがって記述されている前記データのダウンロードに必要となる情報を、前記第１の送信方式とは異なる第２送信方式の情報として読み替えを行って前記提供元のネットワークから前記データのダウンロードを行う第３ステップと、を含む受信方法である。
【００１０】
また、本発明の一態様は、コンピュータに、第１の送信方式により送信される告知情報であって、データの提供を告知する告知情報から、前記データの提供元のネットワークを示すネットワーク識別情報と、前記データのダウンロードに必要となる情報とを検出する第１ステップ、検出した前記ネットワーク識別情報が、予め定められるネットワーク識別情報と一致するか否かを判定する第２ステップ、前記第２ステップにおいて一致すると判定した場合、前記告知情報の送信方式にしたがって記述されている前記データのダウンロードに必要となる情報を、前記第１の送信方式とは異なる第２送信方式の情報として読み替えて前記提供元のネットワークから前記データのダウンロードを行う第３ステップ、を実行させるための受信プログラムである。
【発明の効果】
【００１１】
この発明によれば、ＭＭＴ方式とＴＳ方式の受信機内情報更新サービスの両方から更新用のデータのダウンロードを行うことが可能となる。
【図面の簡単な説明】
【００１２】
【図１】本発明の実施形態による放送システムを示すブロック図である。
【図２】同実施形態によるＭＭＴ方式の送信装置を示すブロック図である。
【図３】同実施形態のＭＭＴ方式の告知情報であるＭＨ−ＳＤＴＴのデータ構成を示す図である。
【図４】同実施形態のＭＭＴ方式の告知情報に含まれるＭＰＵダウンロードコンテンツ記述子のデータ構成を示す図である。
【図５】同実施形態に適用されるコンパティビリティ記述子のデータ構成を示す図である。
【図６】同実施形態によるＴＳ方式の送信装置を示すブロック図である。
【図７】同実施形態のＴＳ方式の告知情報であるＳＤＴＴのデータ構成を示す図である。
【図８】同実施形態のＴＳ方式の告知情報に含まれるダウンロードコンテンツ記述子のデータ構成を示す図である。
【図９】同実施形態によるサーバ装置を示すブロック図である。
【図１０】同実施形態による受信装置を示すブロック図である。
【図１１】同実施形態による受信装置の制御部を示すブロック図である。
【図１２】同実施形態による受信装置の制御部が備える記憶部に記憶されるデータの構成を示す図である。
【図１３】同実施形態による受信装置の制御部の処理を示すフローチャートである。
【発明を実施するための形態】
【００１３】
（放送システムの構成）
以下、図面を参照して、本発明の実施形態について説明する。
図１は、本実施形態に係る放送システム１の構成を示すブロック図である。放送システム１は、送信装置１１ａ、１１ｂ、放送衛星１３、サーバ装置２１、通信伝送路２２、受信装置３１を備える。送信装置１１ａ、１１ｂ、及びサーバ装置２１は、同一または異なる放送事業者が管理する放送設備である。受信装置３１は、例えば、テレビジョン受像装置であり、送信装置１１ａ、１１ｂから放送される放送波を受信する。
【００１４】
放送伝送路１２は、放送衛星１３によって構成され、送信装置１１ａ、１１ｂが送信する各種のデータを含む放送波を同時に不特定多数の受信装置３１に一方向的に伝送する。なお、放送伝送路１２の一部に、通信回線、例えば、送信装置１１ａ、１１ｂから電波を送信するための送信設備までの通信回線が含まれてもよい。なお、以下の説明では、放送伝送路１２を介して各種のデータを送信（または、受信）することを、「放送で送信（または、受信もしくはダウンロード）する」ということもある。
【００１５】
送信装置１１ａ、１１ｂは、放送伝送路１２を介して放送に関する各種のデータを放送波として受信装置３１に送信する。送信装置１１ａは、例えば、ＡＲＩＢ  ＳＴＤ−Ｂ６０  １．３版によって規定されるＭＭＴ方式で放送を行う。送信装置１１ｂは、例えば、ＡＲＩＢ  ＴＲ−Ｂ１５  ６．７版や、ＡＲＩＢ  ＴＲ−Ｂ１４  ５．９版によって規定される、地上デジタル、広帯域ＣＳ（Ｃｏｍｍｕｎｉｃａｔｉｏｎ  Ｓａｔｅｌｌｉｔｅ）、ＢＳ（Ｂｒｏａｄｃａｓｔ  Ｓａｔｅｌｌｉｔｅ）デジタル放送等に適用されるＴＳ方式で放送を行う。
【００１６】
また、送信装置１１ａ、１１ｂは、番組データ、告知情報、制御情報等を送信し、さらに、受信機内情報更新サービスとして、更新用のソフトウェアを含む配信データを送信する。ここで、ソフトウェアとは、主として、受信装置３１で実行されることにより、受信装置３１の機能の一部または全部を実現するコンピュータプログラムである。当該ソフトウェアは、例えば、同種類の既存のソフトウェアで発見されたバグを修正したものや、動作パラメータを変更したものや、新たな機能が追加もしくは既存の機能の一部が削除されたものである。また、当該ソフトウェアは、完全なコンピュータプログラムでなくてもよく、コンピュータプログラムの一部を更新するパッチのようなデータであってもよい。
【００１７】
通信伝送路２２は、例えば、有線の大容量の基幹網を有するインターネット等の広域通信網であり、サーバ装置２１と受信装置３１との間で各種のデータを双方向的に伝送する伝送路である。通信伝送路２２は、一部に無線のアクセス網を含む通信網、例えば、公衆無線通信網であってもよい。なお、通信伝送路２２を介して各種のデータを送信することを、「通信で送信（受信もしくはダウンロード）する」ということもある。
【００１８】
サーバ装置２１は、送信装置１１ａ、１１ｂが送信する配信データと同一の配信データを記憶しており、放送波を通じて受信装置３１が配信データを受信することができない場合等に、受信装置３１からの要求を受けて通信伝送路２２を介して当該配信データを送信する。サーバ装置２１に接続するための情報は、告知情報の一部として、例えば、ＵＲＬ(Ｕｎｉｆｏｒｍ  Ｒｅｓｏｕｒｃｅ  Ｌｏｃａｔｏｒ)等の形式により、放送伝送路１２を介して受信装置３１に通知される。
【００１９】
受信装置３１は、例えば、テレビジョン受信装置、映像記録装置であり、放送伝送路１２の伝送チャネルを切り替えることにより、ＭＭＴ方式の送信装置１１ａからの放送波と、ＴＳ方式の送信装置１１ｂからの放送波を切り替えて受信する。
【００２０】
（ＭＭＴ方式の送信装置の構成）
次に、ＭＭＴ方式の送信装置１１ａの構成について説明する。
図２は、送信装置１１ａの構成を示すブロック図である。送信装置１１ａは、配信データ取得部１１１ａ、番組データ取得部１１２ａ、告知情報取得部１１３ａ、制御情報取得部１１４ａ、多重化部１１５ａ、暗号化部１１６ａ、変調部１１７ａ、及びアンテナ１１８ａを備える。
【００２１】
配信データ取得部１１１ａは、例えば、放送事業者が、受信装置３１内部のソフトウェアの更新を行いたい場合、当該放送事業者が作成したソフトウェアを、外部から読み込んで取得する。ここで、外部とは、例えば、ソフトウェアを記憶している当該放送事業者のコンピュータシステムや、当該ソフトウェアを記憶するＨＤＤ（Ｈａｒｄ  Ｄｉｓｋ  Ｄｒｉｖｅ）等の記録媒体等であり、配信データ取得部１１１ａは、通信手段等を用いて、これらに接続してソフトウェアを取得する。
【００２２】
また、配信データ取得部１１１ａは、取得したソフトウェアを所定の形式のデータに変換して配信データを生成する。例えば、配信データ取得部１１１ａは、取得したソフトウェアをＭＰＵ（Ｍｅｄｉａ  Ｐｒｏｃｅｓｓｉｎｇ  Ｕｎｉｔ）のフォーマットにおいて定められる大きさに分割する。配信データ取得部１１１ａは、同一のアセットに属するＭＰＵ、ここでは、当該ソフトウェアを構成するデータを含む各々のＭＰＵにＭＰＵシーケンス番号を付与し、ＭＰＵシーケンス番号の昇順に、分割したデータをＭＰＵに格納して配信データを生成する。
【００２３】
また、配信データ取得部１１１ａは、ＭＰＵの構成情報をデータアセット管理テーブル（ＤＡＭ：Ｄａｔａ  Ａｓｓｅｔ  Ｍａｎａｇｅｍｅｎｔ  Ｔａｂｌｅ）として生成する。ＤＡＭには、例えば、当該ソフトウェアのメーカ識別（ｍａｋｅｒ＿ｉｄ）、モデル識別（ｍｏｄｅｌ＿ｉｄ）、バージョン識別（ｖｅｒｓｉｏｎ＿ｉｄ）等が含まれる。配信データは、生成されたＤＡＭとＭＰＵとを含むデータとなり、配信データ取得部１１１ａは、生成した配信データを多重化部１１５ａに出力する。なお、「識別（ｉｄ：ｉｄｅｎｔｉｆｉｅｒ）」とは、個々の事物を識別するための情報であり、「識別子」ということもある。
【００２４】
番組データ取得部１１２ａは、例えば、受信装置３１で再生される映像データと音声データを含む番組データを外部から読み込んで取得する。また、番組データ取得部１１２ａは、取得した番組データを、ＭＭＴ方式で定められる形式にしたがって変換し、変換した番組データを多重化部１１５ａに出力する。
【００２５】
告知情報取得部１１３ａは、配信データ取得部１１１ａが取得するソフトウェアのダウンロードに関する告知情報を外部から読み込んで取得する。ここで、告知情報とは、配信されるソフトウェアを特定する情報として、メーカ識別、モデル識別、バージョン識別等を含む情報である。また、告知情報には、ソフトウェアの配信に関する情報、すなわち開始時間、配信継続時間、配信データの提供元となるサーバ装置２１のアドレス、配信データを受信する経路の優先度等の情報も含まれる。告知情報は、セクション形式のテーブルであるＭＨ−ＳＤＴＴ（Ｓｏｆｔｗａｒｅ  Ｄｏｗｎｌｏａｄ  Ｔｒｉｇｇｅｒ  Ｔａｂｌｅ）の構成で表される情報であり、告知情報取得部１１３ａは、取得した告知情報をＭＨ−ＳＤＴＴの形式に変換して多重化部１１５ａに出力する。
【００２６】
制御情報取得部１１４ａは、送信装置１１ａから放送されるデータを受信した受信装置３１が受信ならびに分離する際に参照する制御情報を外部から読み込んで取得し、多重化部１１５ａに出力する。ここで、制御情報とは、例えば、受信装置３１が、番組データ、告知情報、配信データを受信した際のデータ処理に関する情報や、ネットワーク情報等を含んだ情報である。ネットワーク情報としては、例えば、放送伝送路１２で伝送される下り放送波の周波数（ｆｒｅｑｕｅｎｃｙ）、偏波（ｐｏｌａｒｉｓａｔｉｏｎ）、等の物理的条件を示す情報がある。また、制御情報は、例えば、ＴＬＶ（Ｔｙｐｅ  Ｌｅｎｇｔｈ  Ｖａｌｕｅ）用ネットワーク情報テーブル（ＴＬＶ＿Ｎｅｔｗｏｒｋ＿Ｉｎｆｏｒｍａｔｉｏｎ  Ｔａｂｌｅ（））の構成で表される情報である。
【００２７】
多重化部１１５ａは、番組データ取得部１１２ａが出力する番組データ、告知情報取得部１１３ａが出力する告知情報、及び制御情報取得部１１４ａが出力する制御情報を多重化して、第１多重化データを生成する。多重化部１１５ａは、生成した第１多重化データを暗号化部１１６ａに出力する。
【００２８】
暗号化部１１６ａは、多重化部１１５ａの各々が出力する第１多重化データを、例えば、ＡＥＳ（Ａｄｖａｎｃｅｄ  Ｅｎｃｒｙｐｔｉｏｎ  Ｓｔａｎｄａｒｄ）等の予め定められる暗号化方式を用いて暗号化する。また、暗号化部１１６ａは、暗号化した第１多重化データを変調部１１７ａに出力する。
【００２９】
変調部１１７ａは、暗号化部１１６ａが出力する第１多重化データを予め定められる搬送周波数でアップコンバートし、第１上り伝送チャネルの送信信号を生成する。また、変調部１１７ａは、生成した送信信号を、アンテナ１１８ａに出力する。
アンテナ１１８ａは、変調部１１７ａが出力する送信信号による上り伝送チャネルの送信波を送信する。
【００３０】
（ＭＭＴ方式の告知情報のデータ構造）
次に、ＭＨ−ＳＤＴＴのデータ構造について説明する。
図３は、ＡＲＩＢ  ＳＴＤ−Ｂ６０  １．３版において規定される告知情報であるＭＨ−ＳＤＴＴの例を示す図である。ＭＨ−ＳＤＴＴは、テーブル識別拡張（ｔａｂｌｅ＿ｉｄ＿ｅｘｔｅｎｔｉｏｎ）、ＴＬＶ（Ｔｙｐｅ  Ｌｅｎｇｔｈ  Ｖａｌｕｅ）ストリーム識別（ｔｌｖ＿ｓｔｒｅａｍ＿ｉｄ）、オリジナルネットワーク識別（ｏｒｉｇｉｎａｌ＿ｎｅｔｗｏｒｋ＿ｉｄ）、サービス識別（ｓｅｒｖｉｃｅ＿ｉｄ）、開始時刻（ｓｔａｒｔ＿ｔｉｍｅ）、配信継続時間（ｄｕｒａｔｉｏｎ）、及び記述子領域（ｄｅｓｃｒｉｐｔｏｒｓ（））等の項目を含むテーブルである。
【００３１】
テーブル識別拡張の上位８ビットには、メーカ識別（ｍａｋｅｒ＿ｉｄ）が記述され、下位８ビットには、モデル識別（ｍｏｄｅｌ＿ｉｄ）が記述される。ＴＬＶストリーム識別には、例えば、ソフトウェアの提供元となる送信装置１１ａが多重して送信するストリームの中から、当該ソフトウェアが提供されるストリームを特定するラベルの情報が記述される。オリジナルネットワーク識別には、ソフトウェアが提供されるＴＬＶストリームの提供元のネットワークの識別情報が記述される。サービス識別には、ＴＬＶストリームにおいてソフトウェアが提供されるサービスの識別情報が記述される。
【００３２】
開始時刻は、送信装置１１がソフトウェアの送信を開始する時刻が記述される。配信継続時間には、送信装置１１がソフトウェアの送信を継続する時間が記述される。１個のＭＨ−ＳＤＴＴにおいて、開始時刻（ｓｔａｒｔ＿ｔｉｍｅ）及び配信継続時間（ｄｕｒａｔｉｏｎ）が、複数通り設定可能である。記述子領域（ｄｅｓｃｒｉｐｔｏｒｓ（））には、ＭＰＵダウンロードコンテンツ記述子、ＭＨ−ネットワークダウンロードコンテンツ記述子等が記述される。
【００３３】
（ＭＰＵダウンロードコンテンツ記述子のデータ構造）
次に、ＭＰＵダウンロードコンテンツ記述子のデータ構造について説明する。
図４は、ＡＲＩＢ  ＳＴＤ−Ｂ６０  １．３版において規定されるＭＰＵダウンロードコンテンツ記述子の例を示す図である。ＭＰＵダウンロードコンテンツ記述子は、ＤＡＭタイムアウト値（ｔｉｍｅ＿ｏｕｔ＿ｖａｌｕｅ＿ＤＡＭ）、コンパティビリティフラグ（ｃｏｍｐａｔｉｂｉｌｉｔｙ＿ｆｌａｇ）、コンパティビリティ記述子（ｃｏｍｐａｔｉｂｉｌｉｔｙＤｅｓｃｒｉｐｔｏｒ（））、アイテム情報フラグ（ｉｔｅｍ＿ｉｎｆｏ＿ｆｌａｇ）、アイテム数（ｎｕｍ＿ｏｆ＿ｉｔｅｍｓ）、アイテム識別（ｉｔｅｍ＿ｉｄ）、アイテムサイズ（ｉｔｅｍ＿ｓｉｚｅ）、アイテム情報長（ｉｔｅｍ＿ｉｎｆｏ＿ｌｅｎｇｔｈ）、アイテム情報バイト（ｉｔｅｍ＿ｉｎｆｏ＿ｂｙｔｅ）、及びプライベートデータ領域（ｐｒｉｖａｔｅ＿ｄａｔａ＿ｂｙｔｅ）等を含む。
【００３４】
コンパティビリティフラグは、コンパティビリティ記述子の有無を示すフラグである。コンパティビリティ記述子には、例えば、ＡＲＩＢ  ＳＴＤ−Ｂ２１  ５．５版に規定される図５に示すようなコンパティビリティ記述子の内容が含まれる。当該コンパティビリティ記述子の中に、ソフトウェアを特定するメーカ識別、モデル識別、及びバージョン識別が記述される。なお、アイテムとは、ＩＰデータフローにおいて伝送されるデータの単位の１つであり、本実施形態ではソフトウェアのデータの単位を意味する。
【００３５】
アイテム情報フラグには、当該ＭＰＵダウンロードコンテンツ記述子のアイテム毎の情報の有無を示すフラグが記述される。ＤＡＭタイムアウト値には、アセット、ここでは、例えば、ダウンロードするソフトウェアのＤＡＭテーブルの受信に対する推奨すべきタイムアウト値がミリ秒単位で記述される。アイテム数には、アイテムの数が記述される。アイテム識別には、ダウンロードの際のファイル伝送の際に用いられるアイテム識別が記述される。アイテムサイズには、アイテムのバイト長が記述される。アイテム情報長には、アイテム情報バイトのバイト長が記述される。アイテム情報バイトには、データアセット管理テーブルにおいて記述されるＭＨ−ｔｙｐｅ記述子と、ＭＨ−Ｉｎｆｏ記述子のうち必要なものが記述される。
プライベートデータ領域の先頭バイトにはダウンロード優先（ｄｏｗｎｌｏａｄ＿ｐｒｉｏｒｉｔｙ）、すなわちダウンロード経路として放送と通信のどちらを優先するかを指示する値が格納される。
【００３６】
（ＴＳ方式の送信装置の構成）
次に、ＴＳ方式の送信装置１１ｂの構成について説明する。
図６は、送信装置１１ｂの構成を示すブロック図である。送信装置１１ｂは、配信データ取得部１１１ｂ、番組データ取得部１１２ｂ、告知情報取得部１１３ｂ、多重化部１１５ｂ、暗号化部１１６ｂ、変調部１１７ｂ、及びアンテナ１１８ｂを備える。
【００３７】
配信データ取得部１１１ｂには、ソフトウェアを外部から読み込んで取得する。配信データ取得部１１１ｂは、取得したソフトウェアを所定の形式に変換して配信データを生成する。例えば、配信データ取得部１１１ｂは、取得したソフトウェアを所定の大きさにセクション化してＤＤＢ（Ｄｏｗｎｌｏａｄ  Ｄａｔａ  Ｂｌｏｃｋ）メッセージ形式の情報を生成する。また、配信データ取得部１１１ｂは、ＤＤＢメッセージの構成情報をＤＩＩ（Ｄｏｗｎｌｏａｄ  Ｉｎｆｏ  Ｉｎｄｉｃａｔｉｏｎ）メッセージ形式にしたがって生成する。ＤＩＩメッセージには、例えば、当該ソフトウェアのメーカ識別、モデル識別、バージョン識別が含まれる。配信データは、生成されたＤＩＩメッセージと、ＤＤＢメッセージとを含むデータとなる。また、配信データ取得部１１１ｂは、生成した配信データを多重化部１１５ｂに出力する。
【００３８】
番組データ取得部１１２ｂは、番組データを外部から読み込んで取得する。また、番組データ取得部１１２ｂは、取得した番組データについてＴＳ方式で定められる形式、例えば、ストリーム形式に変換し、変換した番組データを多重化部１１５ｂに出力する。
【００３９】
告知情報取得部１１３ｂには、配信データ取得部１１１ｂが取得するソフトウェアのダウンロードに関する告知情報を外部から読み込んで取得する。ここで、告知情報とは、配信されるソフトウェアを特定する情報としてメーカ識別、モデル識別、バージョン識別等を含む情報である。また、告知情報には、開始時刻、配信継続時間、提供元となるサーバ装置２１のアドレス、配信データを受信する経路の優先度等の情報も含まれる。告知情報は、セクション形式のテーブルであるＳＤＴＴ（Ｓｏｆｔｗａｒｅ  Ｄｏｗｎｌｏａｄ  Ｔｒｉｇｇｅｒ  Ｔａｂｌｅ）で表され、告知情報取得部１１３ｂは、取得した告知情報をＳＤＴＴの形式に変換して多重化部１１５ｂに出力する。
【００４０】
制御情報取得部１１４ｂは、送信装置１１ｂから放送されるデータを受信した受信装置３１が受信ならびに分離する際等、参照する制御情報を外部から読み込んで取得し、多重化部１１５ｂに出力する。
多重化部１１５ｂは、配信データ取得部１１１ｂが出力する配信データ、番組データ取得部１１２ｂが出力する番組データ、告知情報取得部１１３ｂが出力する告知情報、及び制御情報取得部１１４ｂが出力する制御情報を多重化して、例えば、トランスポートストリームなどの所定形式の多重化データを生成する。多重化部１１５ｂは、生成した多重化データを暗号化部１１６ｂに出力する。
【００４１】
暗号化部１１６ｂは、多重化部１１５ｂが出力する多重化データを、例えば、ＭＵＬＴＩ２などの予め定められる暗号化方式を用いて暗号化する。また、暗号化部１１６ｂは、暗号化した多重化データを変調部１１７ｂに出力する。変調部１１７ｂは、暗号化部１１６ｂが出力するベースバンド信号である多重化データで所定の搬送周波数を有する搬送波を変調して、アンテナ１１８ｂに出力する。アンテナ１１８ｂは、変調部１１７ｂが出力する送信信号を搬送周波数に対応するチャネル帯域の電波、すなわち放送波の伝送チャネルにより放送伝送路１２を介して受信装置３１に送信する。
【００４２】
（ＴＳ方式の告知情報のデータ構造）
次に、ＳＤＴＴのデータ構造について説明する。
図７は、ＡＲＩＢ  ＳＴＤ−Ｂ２１  ５．５版に規定される告知情報であるＳＤＴＴの例を示す図である。図７に示す例では、告知情報ＳＤＴＴは、テーブル識別拡張（ｔａｂｌｅ＿ｉｄ＿ｅｘｔ）、トランスポートストリーム識別（ｔｒａｎｓｐｏｒｔ＿ｓｔｒｅａｍ＿ｉｄ）、オリジナルネットワーク識別（ｏｒｉｇｉｎａｌ＿ｎｅｔｗｏｒｋ＿ｉｄ）、サービス識別（ｓｅｒｖｉｃｅ＿ｉｄ）、及び記述子領域（ｄｅｓｃｒｉｐｔｏｒｓ（））等の項目を含むテーブルである。
【００４３】
テーブル識別拡張の上位８ビットには、メーカ識別が記述され、下位８ビットには、モデル識別が記述される。トランスポートストリーム識別には、例えば、ソフトウェアの提供元となる送信装置１１ｂが多重して送信するストリームの中から、当該ソフトウェアが提供されるストリームを特定するラベルの情報が記述される。オリジナルネットワーク識別には、ソフトウェアが提供されるトランスポートストリームの提供元のネットワークの識別情報が記述される。サービス識別には、トランスポートストリームにおいてソフトウェアが提供されるサービスの識別情報が記述される。記述子領域には、ダウンロードコンテンツ記述子、ネットワークダウンロードコンテンツ記述子等が記述される。
【００４４】
（ダウンロードコンテンツ記述子のデータ構造）
次に、ダウンロードコンテンツ記述子のデータ構造について説明する。
図８は、ダウンロードコンテンツ記述子の例を示す図である。ダウンロードコンテンツ記述子は、図４において説明したコンパティビリティフラグ（ｃｏｍｐａｔｉｂｉｌｉｔｙ＿ｆｌａｇ）及びコンパティビリティ記述子（ｃｏｍｐａｔｉｂｉｌｉｔｙＤｅｓｃｒｉｐｔｏｒ（））の項目を含むとともに、ＤＩＩタイムアウト値（ｔｉｍｅ＿ｏｕｔ＿ｖａｌｕｅ＿ＤＩＩ）、モジュール情報フラグ（ｍｏｄｕｌｅ＿ｉｎｆｏ＿ｆｌａｇ）、モジュール数（ｎｕｍ＿ｏｆ＿ｍｏｄｕｌｅｓ）、モジュール識別（ｍｏｄｕｌｅ＿ｉｄ）、モジュールサイズ（ｍｏｄｕｌｅ＿ｓｉｚｅ）、モジュール情報長（ｍｏｄｕｌｅ＿ｉｎｆｏ＿ｌｅｎｇｔｈ）、モジュール情報バイト（ｍｏｄｕｌｅ＿ｉｎｆｏ＿ｂｙｔｅ）、及びプライベートデータ領域（ｐｒｉｖａｔｅ＿ｄａｔａ＿ｂｙｔｅ）等の項目を含むテーブルである。
【００４５】
ＤＩＩタイムアウト値には、カルーセル方式で伝送されるソフトウェアを受信する際に、当該カルーセルのＤＩＩの全セクション受信に対する推奨すべきタイムアウト値（単位はミリ秒）が記述される。モジュール情報フラグには、当該ダウンロードコンテンツ記述子中のモジュール毎の情報の有無を示すフラグが記述される。
モジュール数、モジュール識別、及びモジュールサイズには、ソフトウェアを送信するためのＤＩＩ／ＤＤＢメッセージのモジュール数、モジュール識別、及びモジュールサイズがそれぞれ記述される。
モジュール情報長には、モジュール情報バイトのバイト長が記述される。モジュール情報バイトには、ＤＩＩにおいて記述されるｔｙｐｅ記述子、Ｎａｍｅ記述子、Ｉｎｆｏ記述子、Ｃｏｎｔｒｏｌ記述子のうち必要なものが格納される。
【００４６】
プライベートデータ領域の先頭バイトにはダウンロード優先、すなわちダウンロード経路として放送と通信のどちらを優先するかを指示する値が格納される。以下の説明では、ダウンロード優先（ｄｏｗｎｌｏａｄ＿ｐｒｉｏｒｉｔｙ）を、「優先フラグ」と呼ぶことがある。
【００４７】
（サーバ装置の構成）
次に、サーバ装置２１の構成について説明する。
図９は、本実施形態に係るサーバ装置２１の構成を示すブロック図である。サーバ装置２１は、制御部２１０、通信部２１３及び記憶部２１４を含んで構成される。制御部２１０は、記憶部２１４に記憶されている制御プログラムをサーバ装置２１のＣＰＵ（Ｃｅｎｔｒａｌ  Ｐｒｏｃｅｓｓｉｎｇ  Ｕｎｉｔ）が実行することにより、配信データ取得部２１１及び配信データ配信部２１２の機能を実現する。
【００４８】
配信データ取得部２１１は、送信装置１１ａまたは送信装置１１ｂが生成した配信データと同一の配信データを取得する。配信データの取得は、通信手段によって送信装置１１ａ、１１ｂから取得してもよいし、配信データを記憶したＨＤＤ等の記録媒体等から読み込んで取得してもよい。配信データ取得部２１１は取得した配信データに含まれるソフトウェアのメーカ識別、モデル識別、及びバージョン識別等の情報を読み取る。配信データ取得部２１１は、読み取ったソフトウェアのメーカ識別、モデル識別、及びバージョン識別と、取得した配信データとを対応付けて記憶部２１４に記憶する。なお、以下の説明において、メーカ識別、モデル識別、及びバージョン識別等のソフトウェアの識別情報を「ソフトウェア識別」ということがある。
【００４９】
配信データ配信部２１２は、受信装置３１から配信要求信号を受信する。配信要求信号は、指定されたソフトウェア識別で識別されるソフトウェアに係る配信データを要求する信号である。配信データ配信部２１２は、配信要求信号で指定されたソフトウェア識別に対応する配信データを記憶部２１４から読み取る。配信データ配信部２１２は、読み取った配信データを、通信伝送路２２を介して受信装置３１に送信する。
【００５０】
通信部２１３は、例えば、通信インタフェースであり、送信装置１１ａ、１１ｂ、及び受信装置３１との間で各種のデータを送信及び受信する。サーバ装置２１の各構成部による送受信は、通信部２１３を介して行われる。
記憶部２１４は、例えば、ＨＤＤ、フラッシュメモリ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、またはそれらの任意の組み合わせを含んで構成され、各種のデータを記憶する。
【００５１】
（受信装置の構成）
図１０は、受信装置３１の構成を示すブロック図である。受信装置３１は、チューナー３１１、復号部３１２、分離部３１３、音声復号部３１４、再生部３１５、映像復号部３１６、表示部３１７、通信部３２１、制御部３３１及び記憶部３４１を備える。
【００５２】
チューナー３１１は、制御部３３１により指定される選局信号に応じて物理チャンネルを切り替え、ＭＭＴ方式の送信装置１１ａと、ＴＳ方式の送信装置１１ｂとにより送信された多重化データ（変調、暗号化されている）を取得する。チューナー３１１は、復調後の多重化データ（すなわち、ベースバンド信号）を復号部３１２に出力する。
【００５３】
復号部３１２は、チューナー３１１から取得した多重化データが送信装置１１ａから送信されたデータである場合、送信装置１１ａに用いられた暗号化方式に対応する復号方式で多重化データを復号する。また、復号部３１２は、チューナー３１１から取得した多重化データが、送信装置１１ｂから送信されたデータである場合、送信装置１１ｂの暗号化部１１６ｂで用いられた方式に対応する復号方式で多重化データを復号する。復号部３１２は、復号した各種多重化データを分離部３１３に出力する。
【００５４】
分離部３１３は、復号部３１２が出力する復号された多重化データに基づいて、番組データ、告知情報、制御情報、配信データを読み出す。分離部３１３は、告知情報、制御情報、及び配信データを制御部３３１に出力する。また、分離部３１３は、番組データから音声データと映像データを抽出する。分離部３１３は、抽出した音声データを音声復号部３１４に出力し、映像データを映像復号部３１６に出力する。
【００５５】
分離部３１３が出力する音声データは、所定の音声符号化方式（例えば、ＭＰＥＧ−４  オーディオ）で符号化されたデータである。音声復号部３１４は、符号化に用いられた符号化方式と対応する復号方式で当該音声データを復号する。復号した音声データは、各時刻における音声のレベルを示すデータである。音声復号部３１４は、復号した音声データを再生部３１５に出力する。再生部３１５は、例えば、スピーカであり、音声復号部３１４が出力する音声データに基づく音声を再生する。
【００５６】
分離部３１３が出力する映像データは、例えば、ＨＥＶＣ（Ｈｉｇｈ  Ｅｆｆｉｃｉｅｎｃｙ  Ｖｉｄｅｏ  Ｃｏｄｉｎｇ）等の所定の映像符号化方式で符号化されたデータである。映像復号部３１６は、符号化に用いられた符号化方式と対応する復号方式で当該映像データを復号する。復号した映像データは、各時刻における映像（フレーム画像）を形成する信号値を示すデータである。映像復号部３１６は、復号した映像データを表示部３１７に出力する。表示部３１７は、例えば、ディスプレイであり、映像復号部３１６が復号した映像データを再生する。
通信部３２１は、例えば、通信インタフェースであり、通信伝送路２２を介してサーバ装置２１との間で各種のデータを送信及び受信する。
記憶部３４１は、例えば、ＨＤＤ、フラッシュメモリ、ＲＯＭ、ＲＡＭ、またはそれらの組み合わせを含んで構成され、各種のデータを記憶する。
【００５７】
図１１は、制御部３３１の構成を示すブロック図である。制御部３３１は、分配部３３２、制御情報処理部３３３、告知情報検出部３３４、判定部３３５、記憶部３３６、データ取得部３３７、切替指示部３３８を備える。分配部３３２は、分離部３１３が出力する告知情報、制御情報、配信データの種類を検出する。そして、分配部３３２は、告知情報を告知情報検出部３３４に出力し、制御情報を制御情報処理部３３３に出力し、配信データをデータ取得部３３７に出力する。制御情報処理部３３３は、制御情報から配信データの配信に係るネットワーク情報を読み出す。例えば、ＭＭＴ方式の場合、当該制御情報に基づいて、下り伝送チャネルの中心周波数の情報を読み出し、チューナー３１１に出力する。
【００５８】
告知情報検出部３３４は、分配部３３２が出力する告知情報のデータ構造が、上述したＭＭＴ方式のＭＨ−ＳＤＴＴの形式であるか、上述したＴＳ方式のＳＤＴＴの形式であるかを検出する。告知情報検出部３３４は、検出した形式にしたがって、告知情報から、配信データに含まれるソフトウェアのダウンロードに必要となる情報を読み出す。
ＭＭＴ方式の場合、ダウンロードに必要となる情報とは、例えば、ＭＨ−ＳＤＴＴに含まれる情報、ＭＰＵダウンロードコンテンツ記述子、ＭＨ−ネットワークダウンロードコンテンツ記述子に含まれる情報である。
【００５９】
また、ＴＳ方式の場合、ダウンロードに必要となる情報とは、例えば、ＳＤＴＴに含まれる情報、ダウンロードコンテンツ記述子、ネットワークダウンロードコンテンツ記述子に含まれる情報である。また、コンパティビリティ記述子に記述される、ダウンロードを行うソフトウェアを特定するソフトウェア識別、すなわちメーカ識別、モデル識別、及びバージョン識別の情報も当該ダウンロードに必要となる情報に含まれる。また、告知情報検出部３３４は、告知情報がＭＭＴ方式であるかもしくはＴＳ方式であるかを示す情報を判定部３３５に出力する。
【００６０】
記憶部３３６は、ＭＭＴ方式によって告知情報を放送し、ＴＳ方式によって配信データの放送を行うネットワークの情報を記憶する。本実施形態では、後述するようにオリジナルネットワーク識別の値が所定の値である場合にのみ、ＭＭＴ方式の情報をＴＳ方式の情報として読み替える。これにより、受信装置３１は、ＭＭＴ方式の告知情報を解析して、ＴＳ方式とＭＭＴ方式とのいずれかを介して受信機内情報更新サービスを受けることができる。ここで、図１２を参照して、記憶部３３６が管理する情報の例について説明する。図１２に示す例において、ネットワークの名称は、例えば、ＢＳデジタル放送等の放送の種類を示す。また、読み替え対象ネットワーク識別は、読み替え処理の対象として、予め定められたネットワークを識別するオリジナルネットワーク識別の値を示す。そして、受信装置３１は、ＭＨ−ＳＤＴＴにおいて、オリジナルネットワーク識別の値が読み替え対象ネットワーク識別に一致する場合にのみ、ＭＭＴ方式の情報をＴＳ方式の情報として読み替える。
【００６１】
判定部３３５は、ソフトウェアのダウンロードに関する各種判定処理を行う。
例えば、判定部３３５は、告知情報により告知されたソフトウェアのダウンロードを行うか否かを判定する。具体的には、判定部３３５は、告知情報のモデル識別、メーカ識別等を参照して、告知されたソフトウェアが自装置に適合したソフトウェアであるか否かを判定する。また、判定部３３５は、告知情報のターゲットバージョン、ダウンロードレベル、バージョン指示等を参照して、告知されたソフトウェアの更新やインストールが、自装置において必要か否かを判定する。ソフトウェアのダウンロードを行う必要がある場合、判定部３３５は、ソフトウェアをダウンロードする経路を判定し、ソフトウェアのダウンロードをデータ取得部３３７に指示する。
【００６２】
判定部３３５は、例えば、優先フラグを参照して、ソフトウェアをダウンロードする経路を判定する。優先フラグの値が、「０ｘ０１」もしくは「０ｘ０２」の場合、放送を優先してソフトウェアのダウンロードを行い、「０ｘ０３」の場合、通信を優先してソフトウェアのダウンロードを行う。なお、放送を優先してソフトウェアのダウンロードを行うとは、最初に放送で配信データを受信してソフトウェアをダウンロードし、ダウンロードに失敗した場合、通信によってサーバ装置２１からダウンロードすることである。通信を優先してソフトウェアのダウンロードを行うとは、最初に通信でサーバ装置２１から配信データを受信してソフトウェアをダウンロードし、ダウンロードに失敗した場合、放送によってソフトウェアをダウンロードすることである。
【００６３】
また、例えば、判定部３３５は、告知情報がＭＭＴ方式である場合、ＭＭＴ方式で記述された情報を、ＴＳ方式に読み替える必要があるか否かを判定する。具体的には、判定部３３５は、ＭＨ−ＳＤＴＴのオリジナルネットワーク識別の値が、記憶部３３６に記憶されている読み替え対象ネットワーク識別に一致するか否かを判定する。つまり、判定部３３５は、ＭＨ−ＳＤＴＴが告知する配信データの提供元のネットワークが、読み替え処理の対象のネットワークであるか否かを判定する。判定部３３５は、ＭＭＴ方式で記述された情報をＴＳ方式に読み替える必要があると判定した場合にのみ、ＭＭＴ方式で記述された情報の読み替えをデータ取得部３３７に指示する。
【００６４】
データ取得部３３７は、ソフトウェアのダウンロードを行う。
データ取得部３３７は、告知情報の開始時刻、配信継続時間を参照し、配信データの配信開始時刻と配信継続時間とを特定する。
また、データ取得部３３７は、通信を介してソフトウェアをダウンロードする場合、ソフトウェアの提供元のサーバ装置２１を特定する。ＭＭＴ方式の場合、データ取得部３３７は、ＭＨ−ネットワークダウンロードコンテンツ記述子からサーバ装置２１の接続に必要となるアドレスの情報等を読み出すことによりサーバ装置２１を特定する。ＴＳ方式の場合、データ取得部３３７は、ネットワークダウンロードコンテンツ記述子からサーバ装置２１の接続に必要となるアドレスの情報等を読み出すことによりサーバ装置２１を特定する。
【００６５】
また、データ取得部３３７は、放送を介してソフトウェアをダウンロードする場合、配信データの提供が行われるチャンネルを特定し、特定したチャンネルへの切替要求を切替指示部３３８に出力する。ＭＭＴ方式の場合、チャンネルの特定は、ＭＨ−ＳＤＴＴのオリジナルネットワーク識別、ＴＬＶストリーム識別、サービス識別等を参照することにより行われる。また、ＴＳ方式の場合、チャンネルの特定は、ＳＤＴＴのオリジナルネットワーク識別、トランスポートストリーム識別、サービス識別等を参照することにより行われる。ここで、判定部３３５によりデータの読み替えが指示されている場合には、データ取得部３３７は、ＭＨ−ＳＤＴＴのＴＬＶストリーム識別を、ＳＤＴＴのトランスポートストリーム識別であるとみなして処理する。
【００６６】
また、データ取得部３３７は、ＴＬＶストリーム、または、トランスポートストリーム内における配信データの位置を特定する。ＭＴＴ方式の場合、ＴＬＶストリームにおける配信データの位置の特定は、データ取得部３３７は、例えば、ＭＰＵダウンロードコンテンツ記述子に含まれるＤＡＭタイムアウト値、アイテム情報フラグ、アイテム数、アイテム識別、アイテムサイズ、アイテム情報長、アイテム情報バイト等を参照することにより行われる。ＴＳ方式の場合、トランスポートストリームにおける配信データの位置の特定は、ＤＩＩタイムアウト値、モジュール情報フラグ、モジュール数、モジュール識別、モジュールサイズ、モジュール情報長、モジュール情報バイト等を参照することにより行われる。ここで、判定部３３５によりデータの読み替えが指示されている場合には、データ取得部３３７は、ＭＰＵダウンロードコンテンツ記述子に含まれるＤＡＭタイムアウト値、アイテム情報フラグ、アイテム数、アイテム識別、アイテムサイズ、アイテム情報長、アイテム情報バイトを、それぞれ、ダウンロードコンテンツ記述子のＤＩＩタイムアウト値、モジュール情報フラグ、モジュール数、モジュール識別、モジュールサイズ、モジュール情報長、モジュール情報バイトであるとみなして処理する。
【００６７】
以上の判定部３３５、データ取得部３３７の処理により、受信装置３１は自装置宛ての告知情報をモデル識別とメーカ識別等から判断して取得して、どのネットワークの、どのストリームの、どのサービスにより、いつから、自装置がダウンロードすべきデータが流れてくるかを判断することができる。
【００６８】
データ取得部３３７は、特定した各種情報に基づいてソフトウェアのダウンロードを行い、取得したソフトウェアを記憶部３４１に書き込む。
切替指示部３３８は、データ取得部３３７からの要求に応じて、チューナー３１１にチャンネルを切り替える選局信号を出力する。これにより、例えば、配信データの提供元を、送信装置１１ａまたは送信装置１１ｂのいずれかに切り替えることができる。
【００６９】
次に、図１３を参照してソフトウェアのダウンロードに係る制御部３３１の動作について説明する。
制御部３３１は、告知情報を取得し、ソフトウェアをダウンロードするか否かを判定する（ステップＳ１）。ソフトウェアをダウンロードしない場合、制御部３３１は、図１３に示す処理を終了する。ソフトウェアをダウンロードする場合、制御部３３１は、告知情報がＭＭＴ方式であるか、ＴＳ方式であるかを判定する（ステップＳ２）。告知情報がＭＭＴ方式である場合、制御部３３１は、読み替え処理が必要か否かを判定する（ステップＳ３）。制御部３３１は、読み替え処理が必要である場合にのみ、ＭＭＴ方式で記述された情報を、ＴＳ方式の情報とみなす（ステップＳ４）。
【００７０】
次に、制御部３３１は、告知情報に含まれる情報を解析し、ソフトウェアの配信開始時刻、ソフトウェアの提供元のサーバ装置２１、ソフトウェアが提供されるチャンネル、ＴＬＶストリームまたはトランスポートストリームにおける配信データの位置等を特定する（ステップＳ５）。次に、制御部３３１は、ソフトウェアの配信開始時刻が到来したか否かを判定する（ステップＳ６）。ソフトウェアの配信開始時刻が到来した場合、制御部３３１は、自装置が休止（スタンバイ）状態であるか、起動状態であるかを判定する（ステップＳ７）。自装置が休止状態ではない場合、制御部３３１は、ソフトウェアのダウンロードを取り止め、図１３に示す処理を終了する。自装置が休止状態である場合、制御部３３１は、内部電源を投入し、起動状態とする（ステップＳ８）。つまり、制御部３３１は、放送番組の視聴等のチャンネルを介した放送サービスが利用されていないときに、ソフトウェアのダウンロードを行う。
【００７１】
次に、制御部３３１は、ソフトウェアのダウンロード経路を判定する（ステップＳ９）。放送を介してソフトウェアをダウンロードする場合、制御部３３１は、チャンネルを、配信データの提供が行われるチャンネルに切り替える（ステップＳ１０）。そして、ＴＬＶストリーム、または、トランスポートストリームから配信データを抽出する（ステップＳ１１）。また、通信を介してソフトウェアをダウンロードする場合、制御部３３１は、サーバ装置２１にアクセスし、配信データを取得する（ステップＳ１２）。その後、制御部３３１は、図１３に示す処理を終了する。
【００７２】
上記の実施形態の構成により、受信装置３１は、ＴＳ方式による放送の場合、ＴＳ方式での告知情報を受信して、ＴＳ方式で送信される配信データを受信することができ、ＭＭＴ方式による放送の場合、ＭＭＴ方式での告知情報を受信して、ＭＭＴ方式で送信される配信データを受信することができる。また、受信装置３１は、番組データは、ＭＭＴ方式により放送されるが、配信データは、ＴＳ方式で送信されるネットワークの場合であっても配信データを受信することができる。すなわち、記憶部３３６に当該ネットワークを示すネットワーク識別の情報を書き込んでおくことで、受信装置３１は、当該ネットワークについては、ＭＭＴ方式での告知情報の一部の情報をＴＳ方式の告知情報に読み替えて、ＴＳ方式で送信される配信データを受信することができる。
これにより、受信装置３１は、ＭＭＴ方式とＴＳ方式の受信機内情報更新サービスの両方から更新用のデータのダウンロードを行うことができる。
【００７３】
なお、上述した実施形態では、受信装置３１は、ＭＭＴ方式によるダウンロードへも対応することを前提として説明したが、これには限られない。例えば、ＭＴＴ方式によるダウンロードが当面運用されないということも考えられる。そこで、ＭＴＴ方式による告知情報が、ＭＴＴ方式によるダウンロードを示している場合には、配信データの受信のための処理を行わずに無視するように実装してもよい。例えば、図１３のステップ１において、ＭＨ−ＳＤＴＴのオリジナルネットワーク識別が、読み替え対象ネットワーク識別に一致しなければ、ダウンロードしないと判定する。このようにすることで、ＭＭＴ方式の受信機内更新サービスの告知情報を無視することができるため、受信装置３１が無駄に休止状態から自動起動してしまうなどの誤動作を防ぐことができる。
【００７４】
上述した実施形態における受信装置３１の制御部３３１をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Ｆｉｅｌｄ  Ｐｒｏｇｒａｍｍａｂｌｅ  Ｇａｔｅ  Ａｒｒａｙ）等のプログラマブルロジックデバイスを用いて実現されるものであってもよい。
【００７５】
以上、この発明の実施形態について図面を参照して詳述してきたが、具体的な構成はこの実施形態に限られるものではなく、この発明の要旨を逸脱しない範囲の設計等も含まれる。
【符号の説明】
【００７６】
１  放送システム
１１ａ、１１ｂ  送信装置
１２  放送伝送路
１３  放送衛星
２１  サーバ装置
２２  通信伝送路
３１  受信装置
３３１  制御部
３３２  分配部
３３３  制御情報処理部
３３４  告知情報検出部
３３５  判定部
３３６  記憶部
３３７  データ取得部
３３８  切替指示部
【図１】
2017085196.tif 000003
【図２】
2017085196.tif 000004
【図３】
2017085196.tif 000005
【図４】
2017085196.tif 000006
【図５】
2017085196.tif 000007
【図６】
2017085196.tif 000008
【図７】
2017085196.tif 000009
【図８】
2017085196.tif 000010
【図９】
2017085196.tif 000011
【図１０】
2017085196.tif 000012
【図１１】
2017085196.tif 000013
【図１２】
2017085196.tif 000014
【図１３】
2017085196.tif 000015
【手続補正書】
【提出日】平成28年7月7日(2016.7.7)
【手続補正１】
【補正対象書類名】特許請求の範囲
【補正対象項目名】全文
【補正方法】変更
【補正の内容】
【特許請求の範囲】
【請求項１】
第１の送信方式により送信される告知情報であって、データの提供を告知する告知情報から、前記データの提供元のネットワークを示すネットワーク識別情報を検出し、前記データのダウンロードに必要となる情報を読み出す告知情報検出部と、
前記告知情報検出部が検出する前記ネットワーク識別情報が、予め定められるネットワー
ク識別情報と一致するか否かを判定する判定部と、
前記判定部が一致すると判定した場合にのみ、前記第１の送信方式にしたがって記述されている前記データのダウンロードに必要となる情報を、前記第１の送信方式とは異なる第２の送信方式の情報として読み替えて前記提供元のネットワークから前記データのダウンロードを行うデータ取得部と、
を備える受信装置。
【請求項２】
前記データ取得部は、前記判定部が一致しないと判定した場合、前記データのダウンロードを行わない
請求項１に記載の受信装置。
【請求項３】
前記データ取得部は、前記判定部が一致しないと判定した場合、前記第１の送信方式にしたがって記述されている告知情報に含まれる前記データのダウンロードに必要となる情報を、前記第２の送信方式の情報として読み替えずに、前記提供元のネットワークから前記データのダウンロードを行う
請求項１に記載の受信装置。
【請求項４】
第１の送信方式で送信を行う第１の送信装置と、前記第１の送信方式とは異なる第２の送信方式で送信を行う第２の送信装置と、受信装置とを備える放送システムであって、
前記受信装置が、
データの提供を告知する告知情報から、前記データの提供元のネットワークを示すネットワーク識別情報を検出し、前記データのダウンロードに必要となる情報を読み出す告知情報検出部と、
前記告知情報が前記第１の送信方式で送信される場合、前記告知情報検出部が検出する前記ネットワーク識別情報が、前記第２の送信装置に対応するネットワーク識別情報と一致するか否かを判定する判定部と、
前記判定部が一致すると判定した場合にのみ、前記第１の送信方式にしたがって記述されている前記データのダウンロードに必要となる情報を、前記第２の送信方式の情報として読み替えて前記第２の送信装置から前記データのダウンロードを行うデータ取得部と、
を備える放送システム。
【請求項５】
受信装置が、第１の送信方式により送信される告知情報であって、データの提供を告知する告知情報から、前記データの提供元のネットワークを示すネットワーク識別情報を検出し、前記データのダウンロードに必要となる情報を読み出す第１ステップと、
前記受信装置が、検出した前記ネットワーク識別情報が、予め定められるネットワーク識別情報と一致するか否かを判定する第２ステップと、
前記受信装置が、前記第２ステップにおいて一致すると判定した場合にのみ、前記告知情報の送信方式にしたがって記述されている前記データのダウンロードに必要となる情報を、前記第１の送信方式とは異なる第２送信方式の情報として読み替えを行って前記提供元のネットワークから前記データのダウンロードを行う第３ステップと、
を含む受信方法。
【請求項６】
コンピュータに、
第１の送信方式により送信される告知情報であって、データの提供を告知する告知情報から、前記データの提供元のネットワークを示すネットワーク識別情報を検出し、前記データのダウンロードに必要となる情報を読み出す第１ステップ、
検出した前記ネットワーク識別情報が、予め定められるネットワーク識別情報と一致するか否かを判定する第２ステップ、
前記第２ステップにおいて一致すると判定した場合、前記告知情報の送信方式にしたがって記述されている前記データのダウンロードに必要となる情報を、前記第１の送信方式とは異なる第２送信方式の情報として読み替えて前記提供元のネットワークから前記データのダウンロードを行う第３ステップ、
を実行させるための受信プログラム。
【手続補正２】
【補正対象書類名】明細書
【補正対象項目名】００２５
【補正方法】変更
【補正の内容】
【００２５】
告知情報取得部１１３ａは、配信データ取得部１１１ａが取得するソフトウェアのダウンロードに関する告知情報を外部から読み込んで取得する。ここで、告知情報とは、配信されるソフトウェアを特定する情報として、メーカ識別、モデル識別、バージョン識別等を含む情報である。また、告知情報には、ソフトウェアの配信に関する情報、すなわち開始時刻、配信継続時間、配信データの提供元となるサーバ装置２１のアドレス、配信データを受信する経路の優先度等の情報も含まれる。告知情報は、セクション形式のテーブルであるＭＨ−ＳＤＴＴ（Ｓｏｆｔｗａｒｅ  Ｄｏｗｎｌｏａｄ  Ｔｒｉｇｇｅｒ  Ｔａｂｌｅ）の構成で表される情報であり、告知情報取得部１１３ａは、取得した告知情報をＭＨ−ＳＤＴＴの形式に変換して多重化部１１５ａに出力する。
【手続補正３】
【補正対象書類名】図面
【補正対象項目名】図８
【補正方法】変更
【補正の内容】
【図８】
2017085196.tif 000016
【手続補正４】
【補正対象書類名】図面
【補正対象項目名】図１１
【補正方法】変更
【補正の内容】
【図１１】
2017085196.tif 000017
【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
第１の伝送方式により送信される告知情報であって、ダウンロードデータの提供を告知する告知情報から、元の分配システムのネットワークを規定するラベルであるオリジナルネットワーク識別を検出し、前記ダウンロードデータのダウンロードに必要となる情報を読み出す告知情報検出部と、
前記告知情報検出部が検出する前記オリジナルネットワーク識別に配置されたデータが、予め定められる識別情報と一致するか否かを判定する判定部と、
前記判定部が一致すると判定した場合にのみ、前記第１の伝送方式にしたがって記述さている前記ダウンロードデータのダウンロードに必要となる情報に配置されたデータを、前記第１の伝送方式とは異なる第２の伝送方式にしたがって記述さている前記ダウンロードデータのダウンロードに必要となる情報に対応するデータが配置されているものとして読み替えて前記ダウンロードデータのダウンロードを行うデータ取得部と、
を備える受信装置。
【請求項２】
第１の伝送方式で規定される第１の告知情報であって、ダウンロードの告知情報として伝送される第１の告知情報から、元の分配システムのネットワークを規定するラベルであるオリジナルネットワーク識別に配置されたデータを検出する告知情報検出部と、
前記告知情報検出部が検出する前記オリジナルネットワーク識別に配置されたデータが、予め定められる第２の伝送方式の放送を指しているか否かを判定する判定部と、
前記オリジナルネットワーク識別に配置されたデータが前記第２の伝送方式の放送を指している場合にのみ、前記第１の告知情報に配置されたデータのうち予め定められる一部のデータを、前記第２の伝送方式で規定される第２の告知情報に対応するデータが配置されているものとして、読み替えを行い、
前記読み替えに基づいて、ダウンロードコンテンツの受信に前記第２の伝送方式の放送を用いるデータ取得部と、
を備える受信装置。
【請求項３】
第１の伝送方式で規定される第１の告知情報であって、ダウンロードの告知情報として伝送される第１の告知情報から、元の分配システムのネットワークを規定するラベルであるオリジナルネットワーク識別に配置されたデータを検出する告知情報検出部と、
前記告知情報検出部が検出する前記オリジナルネットワーク識別に配置されたデータが、予め定められる第２の伝送方式の放送を指しているか否かを判定する判定部と、
前記オリジナルネットワーク識別に配置されたデータが前記第２の伝送方式の放送を指している場合、有効な前記第１の告知情報と判断し、前記第１の告知情報に配置されたデータのうち予め定められる一部のデータを、前記第２の伝送方式で規定される第２の告知情報に対応するデータが配置されているものとして、読み替えを行い、
前記読み替えに基づいて、ダウンロードコンテンツの受信に前記第２の伝送方式の放送を用いるデータ取得部と、
を備える受信装置。
【請求項４】
第１の伝送方式で規定される第１の告知情報であって、ダウンロードの告知情報として伝送される第１の告知情報から、元の分配システムのネットワークを規定するラベルであるオリジナルネットワーク識別に配置されたデータを検出する告知情報検出部と、
前記告知情報検出部が検出する前記オリジナルネットワーク識別に配置されたデータが、予め定められる第２の伝送方式の放送を指しているか否かを判定する判定部と、
自装置が前記第２の伝送方式で規定される第２の告知情報を受信したときに、ダウンロードコンテンツの受信に前記第２の伝送方式の放送を用い、
自装置が前記第１の告知情報を受信したときに、前記オリジナルネットワーク識別に配置されたデータが前記第２の伝送方式の放送を指している場合、有効な前記第１の告知情報と判断し、前記第１の告知情報に配置されたデータのうち予め定められる一部のデータを、前記第２の告知情報に対応するデータが配置されているものとして、読み替えを行い、
前記読み替えに基づいて、ダウンロードコンテンツの受信に前記第２の伝送方式の放送を用いるデータ取得部と、
を備える受信装置。
【請求項５】
前記データ取得部は、前記オリジナルネットワーク識別に配置されたデータが前記第２の伝送方式の放送を指していないと判定した場合、ダウンロードコンテンツの受信に前記第２の伝送方式の放送を用いない
請求項１から４のいずれか一項に記載の受信装置。
【請求項６】
前記データ取得部は、前記オリジナルネットワーク識別に配置されたデータが前記第２の伝送方式の放送を指していないと判定した場合、前記読み替えを行わずに、ダウンロードコンテンツの受信に前記第１の伝送方式の放送を用いる
請求項１から５のいずれか一項に記載の受信装置。
【請求項７】
前記第１の伝送方式で規定される第１の告知情報を、前記第１の伝送方式の放送の伝送路で受信し、
前記第１の告知情報でダウンロードを告知されたダウンロードコンテンツを、前記第２の伝送方式の放送の伝送路で受信する受信部
を備える請求項１から６のいずれか一項に記載の受信装置。
【請求項８】
前記第１の伝送方式で規定される第１の告知情報を、前記第１の伝送方式の放送の伝送路で受信し、
前記第２の伝送方式で規定される第２の告知情報を、前記第２の伝送方式の放送の伝送路で受信し、
前記第１の告知情報でダウンロードを告知されたダウンロードコンテンツを、前記第２の伝送方式の放送の伝送路で受信する受信部
を備える請求項１から７のいずれか一項に記載の受信装置。
【請求項９】
前記第１の伝送方式で規定される第１の告知情報を、前記第１の伝送方式の放送の伝送路で受信し、
前記第２の伝送方式で規定される第２の告知情報を、前記第２の伝送方式の放送の伝送路で受信し、
前記第１の告知情報でダウンロードを告知されたダウンロードコンテンツを、前記第２の伝送方式の放送の伝送路で受信し、
前記第２の告知情報でダウンロードを告知されたダウンロードコンテンツを、前記第２の伝送方式の放送の伝送路で受信する受信部
を備える請求項１から８のいずれか一項に記載の受信装置。
【請求項１０】
ＭＭＴ（ＭＰＥＧ  Ｍｅｄｉａ  Ｔｒａｎｓｐｏｒｔ）で規定されるＭＨ−ＳＤＴＴ（ＭＨ−Ｓｏｆｔｗａｒｅ  Ｄｏｗｎｌｏａｄ  Ｔｒｉｇｇｅｒ  Ｔａｂｌｅ）であって、ダウンロードの告知情報として伝送されるＭＨ−ＳＤＴＴから、元の分配システムのネットワークを規定するラベルであるオリジナルネットワーク識別に配置されたデータを検出する告知情報検出部と、
前記告知情報検出部が検出する前記オリジナルネットワーク識別に配置されたデータが、予め定められる放送を指しているか否かを判定する判定部と、
前記オリジナルネットワーク識別に配置されたデータがＴＳ（Ｔｒａｎｓｐｏｒｔ  Ｓｔｒｅａｍ）方式の放送を指している場合、有効な前記ＭＨ−ＳＤＴＴと判断し、前記ＭＨ−ＳＤＴＴに配置されたデータのうち予め定められる一部のデータを、前記ＴＳで規定されるＳＤＴＴ（Ｓｏｆｔｗａｒｅ  Ｄｏｗｎｌｏａｄ  Ｔｒｉｇｇｅｒ  Ｔａｂｌｅ）に対応するデータが配置されているものとして、読み替えを行い、
前記読み替えに基づいて、ダウンロードコンテンツの受信に前記ＴＳ方式の放送を用いるデータ取得部と、
を備える受信装置。
【請求項１１】
ＭＭＴ（ＭＰＥＧ  Ｍｅｄｉａ  Ｔｒａｎｓｐｏｒｔ）で規定されるＭＨ−ＳＤＴＴ（ＭＨ−Ｓｏｆｔｗａｒｅ  Ｄｏｗｎｌｏａｄ  Ｔｒｉｇｇｅｒ  Ｔａｂｌｅ）であって、ダウンロードの告知情報として伝送されるＭＨ−ＳＤＴＴから、元の分配システムのネットワークを規定するラベルであるオリジナルネットワーク識別に配置されたデータを検出する告知情報検出部と、
前記告知情報検出部が検出する前記オリジナルネットワーク識別に配置されたデータが、予め定められる放送を指しているか否かを判定する判定部と、
前記オリジナルネットワーク識別に配置されたデータがＴＳ（Ｔｒａｎｓｐｏｒｔ  Ｓｔｒｅａｍ）方式の放送を指している場合、有効な前記ＭＨ−ＳＤＴＴと判断し、前記ＭＨ−ＳＤＴＴに配置されたデータのうち予め定められる一部のデータを、前記ＴＳで規定されるＳＤＴＴ（Ｓｏｆｔｗａｒｅ  Ｄｏｗｎｌｏａｄ  Ｔｒｉｇｇｅｒ  Ｔａｂｌｅ）に対応するデータが配置されているものとして、読み替えを行い、
前記読み替えに基づいて、ダウンロードコンテンツの受信に前記ＴＳ方式の放送を用いるデータ取得部と、
を備え、
前記データ取得部は、前記ＭＨ−ＳＤＴＴのＴＬＶストリーム識別を、前記ＴＳで規定されるＳＤＴＴ（Ｓｏｆｔｗａｒｅ  Ｄｏｗｎｌｏａｄ  Ｔｒｉｇｇｅｒ  Ｔａｂｌｅ）のトランスポートストリーム識別と読み替える受信装置。
【請求項１２】
ＭＭＴ（ＭＰＥＧ  Ｍｅｄｉａ  Ｔｒａｎｓｐｏｒｔ）で規定されるＭＨ−ＳＤＴＴ（ＭＨ−Ｓｏｆｔｗａｒｅ  Ｄｏｗｎｌｏａｄ  Ｔｒｉｇｇｅｒ  Ｔａｂｌｅ）であって、ダウンロードの告知情報として伝送されるＭＨ−ＳＤＴＴから、元の分配システムのネットワークを規定するラベルであるオリジナルネットワーク識別に配置されたデータを検出する告知情報検出部と、
前記告知情報検出部が検出する前記オリジナルネットワーク識別に配置されたデータが、予め定められる放送を指しているか否かを判定する判定部と、
前記オリジナルネットワーク識別に配置されたデータがＴＳ（Ｔｒａｎｓｐｏｒｔ  Ｓｔｒｅａｍ）方式の放送を指している場合、有効な前記ＭＨ−ＳＤＴＴと判断し、前記ＭＨ−ＳＤＴＴに配置されたデータのうち予め定められる一部のデータを、前記ＴＳで規定されるＳＤＴＴ（Ｓｏｆｔｗａｒｅ  Ｄｏｗｎｌｏａｄ  Ｔｒｉｇｇｅｒ  Ｔａｂｌｅ）に対応するデータが配置されているものとして、読み替えを行い、
前記読み替えに基づいて、ダウンロードコンテンツの受信に前記ＴＳ方式の放送を用いるデータ取得部と、
を備え、
前記データ取得部は、前記ＭＨ−ＳＤＴＴのＴＬＶストリーム識別を、前記ＴＳで規定されるＳＤＴＴ（Ｓｏｆｔｗａｒｅ  Ｄｏｗｎｌｏａｄ  Ｔｒｉｇｇｅｒ  Ｔａｂｌｅ）のトランスポートストリーム識別と読み替え、さらに、前記ＭＨ−ＳＤＴＴのＭＰＵダウンロードコンテンツ記述子のＤＡＭタイムアウト値、アイテム情報フラグ、アイテム数、アイテム識別、アイテムサイズ、アイテム情報長、アイテム情報バイトを、それぞれ、前記ＳＤＴＴのダウンロードコンテンツ記述子のＤＩＩタイムアウト値、モジュール情報フラグ、モジュール数、モジュール識別、モジュールサイズ、モジュール情報長、モジュール情報バイトとして読み替える受信装置。
【請求項１３】
前記ＭＨ−ＳＤＴＴを、前記ＭＭＴ方式の放送の伝送路で受信し、
前記ＭＨ−ＳＤＴＴでダウンロードを告知された前記ダウンロードコンテンツを、前記ＴＳ方式の放送の伝送路で受信する受信部
を備える請求項１０から１２のいずれか一項に記載の受信装置。
【請求項１４】
前記データ取得部は、ビット数の異なるデータを読み替える
請求項１から１２のいずれか一項に記載の受信装置。
【請求項１５】
第１の伝送方式で送信を行う第１の送信装置と、前記第１の伝送方式とは異なる第２の伝送方式で送信を行う第２の送信装置と、受信装置とを備える放送システムであって、
前記受信装置が、
ダウンロードデータの提供を告知する告知情報から、元の分配システムのネットワークを規定するラベルであるオリジナルネットワーク識別と、前記ダウンロードデータのダウンロードに必要となる情報とを検出する告知情報検出部と、
前記告知情報が前記第１の伝送方式で送信される場合、前記告知情報検出部が検出する前記オリジナルネットワーク識別に配置されたデータが、予め定められる識別情報と一致するか否かを判定する判定部と、
前記判定部が一致すると判定した場合にのみ、前記第１の伝送方式にしたがって記述されている前記ダウンロードデータのダウンロードに必要となる情報に配置されたデータを、前記第２の伝送方式の情報に対応するデータが配置されているものとして読み替えて前記第２の送信装置から前記ダウンロードデータのダウンロードを行うデータ取得部と、
を備える放送システム。
【請求項１６】
第１の伝送方式で送信を行う第１の送信装置と、前記第１の伝送方式とは異なる第２の伝送方式で送信を行う第２の送信装置と、受信装置とを備える放送システムであって、
前記受信装置が、
第１の伝送方式で規定される第１の告知情報であって、ダウンロードの告知情報として伝送される第１の告知情報から、元の分配システムのネットワークを規定するラベルであるオリジナルネットワーク識別に配置されたデータを検出する告知情報検出部と、
前記告知情報検出部が検出する前記オリジナルネットワーク識別に配置されたデータが、予め定められる第２の伝送方式の放送を指しているか否かを判定する判定部と、
前記オリジナルネットワーク識別に配置されたデータが前記第２の伝送方式の放送を指している場合、有効な前記第１の告知情報と判断し、前記第１の告知情報に配置されたデータのうち予め定められる一部のデータを、前記第２の伝送方式で規定される第２の告知情報に対応するデータが配置されているものとして、読み替えを行い、
前記読み替えに基づいて、ダウンロードコンテンツの受信に前記第２の伝送方式の放送を用いるデータ取得部と、
を備える放送システム。
【請求項１７】
受信装置が、第１の伝送方式により送信される告知情報であって、ダウンロードデータの提供を告知する告知情報から、元の分配システムのネットワークを規定するラベルであるオリジナルネットワーク識別を検出し、前記ダウンロードデータのダウンロードに必要となる情報を読み出す第１ステップと、
前記受信装置が、検出した前記オリジナルネットワーク識別に配置されたデータが、予め定められる識別情報と一致するか否かを判定する第２ステップと、
前記受信装置が、前記第２ステップにおいて一致すると判定した場合にのみ、前記第１の伝送方式にしたがって記述さている前記ダウンロードデータのダウンロードに必要となる情報に配置されたデータを、前記第１の伝送方式とは異なる第２の伝送方式にしたがって記述さている前記ダウンロードデータのダウンロードに必要となる情報に対応するデータが配置されているものとして読み替えて前記ダウンロードデータのダウンロードを行う第３ステップと、
を含む受信方法。
【請求項１８】
受信装置が、第１の伝送方式で規定される第１の告知情報であって、ダウンロードの告知情報として伝送される第１の告知情報から、元の分配システムのネットワークを規定するラベルであるオリジナルネットワーク識別に配置されたデータを検出する第１ステップと、
受信装置が、前記第１ステップで検出された前記オリジナルネットワーク識別に配置されたデータが、予め定められる第２の伝送方式の放送を指しているか否かを判定する第２ステップと、
受信装置が、前記オリジナルネットワーク識別に配置されたデータが前記第２の伝送方式の放送を指している場合、有効な前記第１の告知情報と判断し、前記第１の告知情報に配置されたデータのうち予め定められる一部のデータを、前記第２の伝送方式で規定される第２の告知情報に対応するデータが配置されているものとして、読み替えを行い、
前記読み替えに基づいて、ダウンロードコンテンツの受信に前記第２の伝送方式の放送を用いる第３ステップと、
を含む受信方法。
【請求項１９】
コンピュータに、
第１の伝送方式により送信される告知情報であって、ダウンロードデータの提供を告知する告知情報から、元の分配システムのネットワークを規定するラベルであるオリジナルネットワーク識別を検出し、前記ダウンロードデータのダウンロードに必要となる情報を読み出す第１ステップ、
検出した前記オリジナルネットワーク識別に配置されたデータが、予め定められる識別情報と一致するか否かを判定する第２ステップ、
前記第２ステップにおいて一致すると判定した場合にのみ、前記第１の伝送方式にしたがって記述さている前記ダウンロードデータのダウンロードに必要となる情報に配置されたデータを、前記第１の伝送方式とは異なる第２の伝送方式にしたがって記述さている前記ダウンロードデータのダウンロードに必要となる情報に対応するデータが配置されているものとして読み替えて前記ダウンロードデータのダウンロードを行う第３ステップ、
を実行させるための受信プログラム。
【請求項２０】
コンピュータに、
第１の伝送方式で規定される第１の告知情報であって、ダウンロードの告知情報として伝送される第１の告知情報から、元の分配システムのネットワークを規定するラベルであるオリジナルネットワーク識別に配置されたデータを検出する第１ステップ、
前記第１ステップで検出された前記オリジナルネットワーク識別に配置されたデータが、予め定められる第２の伝送方式の放送を指しているか否かを判定する第２ステップ、
前記オリジナルネットワーク識別に配置されたデータが前記第２の伝送方式の放送を指している場合、有効な前記第１の告知情報と判断し、前記第１の告知情報に配置されたデータのうち予め定められる一部のデータを、前記第２の伝送方式で規定される第２の告知情報に対応するデータが配置されているものとして、読み替えを行い、
前記読み替えに基づいて、ダウンロードコンテンツの受信に前記第２の伝送方式の放送を用いる第３ステップ、
を実行させるための受信プログラム。
【手続補正２】
【補正対象書類名】明細書
【補正対象項目名】０００７
【補正方法】変更
【補正の内容】
【０００７】
上記問題を解決するために、本発明の一態様は、第１の伝送方式により送信される告知情報であって、ダウンロードデータの提供を告知する告知情報から、元の分配システムのネットワークを規定するラベルであるオリジナルネットワーク識別を検出し、前記ダウンロードデータのダウンロードに必要となる情報を読み出す告知情報検出部と、前記告知情報検出部が検出する前記オリジナルネットワーク識別に配置されたデータが、予め定められる識別情報と一致するか否かを判定する判定部と、前記判定部が一致すると判定した場合にのみ、前記第１の伝送方式にしたがって記述さている前記ダウンロードデータのダウンロードに必要となる情報に配置されたデータを、前記第１の伝送方式とは異なる第２の伝送方式にしたがって記述さている前記ダウンロードデータのダウンロードに必要となる情報に対応するデータが配置されているものとして読み替えて前記ダウンロードデータのダウンロードを行うデータ取得部と、を備える受信装置である。
また、本発明の一態様は、第１の伝送方式で規定される第１の告知情報であって、ダウンロードの告知情報として伝送される第１の告知情報から、元の分配システムのネットワークを規定するラベルであるオリジナルネットワーク識別に配置されたデータを検出する告知情報検出部と、前記告知情報検出部が検出する前記オリジナルネットワーク識別に配置されたデータが、予め定められる第２の伝送方式の放送を指しているか否かを判定する判定部と、前記オリジナルネットワーク識別に配置されたデータが前記第２の伝送方式の放送を指している場合にのみ、前記第１の告知情報に配置されたデータのうち予め定められる一部のデータを、前記第２の伝送方式で規定される第２の告知情報に対応するデータが配置されているものとして、読み替えを行い、前記読み替えに基づいて、ダウンロードコンテンツの受信に前記第２の伝送方式の放送を用いるデータ取得部と、を備える受信装置である。
また、本発明の一態様は、第１の伝送方式で規定される第１の告知情報であって、ダウンロードの告知情報として伝送される第１の告知情報から、元の分配システムのネットワークを規定するラベルであるオリジナルネットワーク識別に配置されたデータを検出する告知情報検出部と、前記告知情報検出部が検出する前記オリジナルネットワーク識別に配置されたデータが、予め定められる第２の伝送方式の放送を指しているか否かを判定する判定部と、前記オリジナルネットワーク識別に配置されたデータが前記第２の伝送方式の放送を指している場合、有効な前記第１の告知情報と判断し、前記第１の告知情報に配置されたデータのうち予め定められる一部のデータを、前記第２の伝送方式で規定される第２の告知情報に対応するデータが配置されているものとして、読み替えを行い、前記読み替えに基づいて、ダウンロードコンテンツの受信に前記第２の伝送方式の放送を用いるデータ取得部と、を備える受信装置である。
また、本発明の一態様は、第１の伝送方式で規定される第１の告知情報であって、ダウンロードの告知情報として伝送される第１の告知情報から、元の分配システムのネットワークを規定するラベルであるオリジナルネットワーク識別に配置されたデータを検出する告知情報検出部と、前記告知情報検出部が検出する前記オリジナルネットワーク識別に配置されたデータが、予め定められる第２の伝送方式の放送を指しているか否かを判定する判定部と、自装置が前記第２の伝送方式で規定される第２の告知情報を受信したときに、ダウンロードコンテンツの受信に前記第２の伝送方式の放送を用い、自装置が前記第１の告知情報を受信したときに、前記オリジナルネットワーク識別に配置されたデータが前記第２の伝送方式の放送を指している場合、有効な前記第１の告知情報と判断し、前記第１の告知情報に配置されたデータのうち予め定められる一部のデータを、前記第２の告知情報に対応するデータが配置されているものとして、読み替えを行い、前記読み替えに基づいて、ダウンロードコンテンツの受信に前記第２の伝送方式の放送を用いるデータ取得部と、を備える受信装置である。
また、本発明の一態様は、上記の受信装置において、前記データ取得部は、前記オリジナルネットワーク識別に配置されたデータが前記第２の伝送方式の放送を指していないと判定した場合、ダウンロードコンテンツの受信に前記第２の伝送方式の放送を用いない受信装置である。
また、本発明の一態様は、上記の受信装置において、前記データ取得部は、前記オリジナルネットワーク識別に配置されたデータが前記第２の伝送方式の放送を指していないと判定した場合、前記読み替えを行わずに、ダウンロードコンテンツの受信に前記第１の伝送方式の放送を用いる受信装置である。
また、本発明の一態様は、上記の受信装置において、前記第１の伝送方式で規定される第１の告知情報を、前記第１の伝送方式の放送の伝送路で受信し、前記第１の告知情報でダウンロードを告知されたダウンロードコンテンツを、前記第２の伝送方式の放送の伝送路で受信する受信部を備える受信装置である。
また、本発明の一態様は、上記の受信装置において、前記第１の伝送方式で規定される第１の告知情報を、前記第１の伝送方式の放送の伝送路で受信し、前記第２の伝送方式で規定される第２の告知情報を、前記第２の伝送方式の放送の伝送路で受信し、前記第１の告知情報でダウンロードを告知されたダウンロードコンテンツを、前記第２の伝送方式の放送の伝送路で受信する受信部を備える受信装置である。
また、本発明の一態様は、上記の受信装置において、前記第１の伝送方式で規定される第１の告知情報を、前記第１の伝送方式の放送の伝送路で受信し、前記第２の伝送方式で規定される第２の告知情報を、前記第２の伝送方式の放送の伝送路で受信し、前記第１の告知情報でダウンロードを告知されたダウンロードコンテンツを、前記第２の伝送方式の放送の伝送路で受信し、前記第２の告知情報でダウンロードを告知されたダウンロードコンテンツを、前記第２の伝送方式の放送の伝送路で受信する受信部を備える受信装置である。
また、本発明の一態様は、ＭＭＴ（ＭＰＥＧ  Ｍｅｄｉａ  Ｔｒａｎｓｐｏｒｔ）で規定されるＭＨ−ＳＤＴＴ（ＭＨ−Ｓｏｆｔｗａｒｅ  Ｄｏｗｎｌｏａｄ  Ｔｒｉｇｇｅｒ  Ｔａｂｌｅ）であって、ダウンロードの告知情報として伝送されるＭＨ−ＳＤＴＴから、元の分配システムのネットワークを規定するラベルであるオリジナルネットワーク識別に配置されたデータを検出する告知情報検出部と、前記告知情報検出部が検出する前記オリジナルネットワーク識別に配置されたデータが、予め定められる放送を指しているか否かを判定する判定部と、前記オリジナルネットワーク識別に配置されたデータがＴＳ（Ｔｒａｎｓｐｏｒｔ  Ｓｔｒｅａｍ）方式の放送を指している場合、有効な前記ＭＨ−ＳＤＴＴと判断し、前記ＭＨ−ＳＤＴＴに配置されたデータのうち予め定められる一部のデータを、前記ＴＳで規定されるＳＤＴＴ（Ｓｏｆｔｗａｒｅ  Ｄｏｗｎｌｏａｄ  Ｔｒｉｇｇｅｒ  Ｔａｂｌｅ）に対応するデータが配置されているものとして、読み替えを行い、前記読み替えに基づいて、ダウンロードコンテンツの受信に前記ＴＳ方式の放送を用いるデータ取得部と、を備える受信装置である。
また、本発明の一態様は、ＭＭＴ（ＭＰＥＧ  Ｍｅｄｉａ  Ｔｒａｎｓｐｏｒｔ）で規定されるＭＨ−ＳＤＴＴ（ＭＨ−Ｓｏｆｔｗａｒｅ  Ｄｏｗｎｌｏａｄ  Ｔｒｉｇｇｅｒ  Ｔａｂｌｅ）であって、ダウンロードの告知情報として伝送されるＭＨ−ＳＤＴＴから、元の分配システムのネットワークを規定するラベルであるオリジナルネットワーク識別に配置されたデータを検出する告知情報検出部と、前記告知情報検出部が検出する前記オリジナルネットワーク識別に配置されたデータが、予め定められる放送を指しているか否かを判定する判定部と、前記オリジナルネットワーク識別に配置されたデータがＴＳ（Ｔｒａｎｓｐｏｒｔ  Ｓｔｒｅａｍ）方式の放送を指している場合、有効な前記ＭＨ−ＳＤＴＴと判断し、前記ＭＨ−ＳＤＴＴに配置されたデータのうち予め定められる一部のデータを、前記ＴＳで規定されるＳＤＴＴ（Ｓｏｆｔｗａｒｅ  Ｄｏｗｎｌｏａｄ  Ｔｒｉｇｇｅｒ  Ｔａｂｌｅ）に対応するデータが配置されているものとして、読み替えを行い、前記読み替えに基づいて、ダウンロードコンテンツの受信に前記ＴＳ方式の放送を用いるデータ取得部と、を備え、前記データ取得部は、前記ＭＨ−ＳＤＴＴのＴＬＶストリーム識別を、前記ＴＳで規定されるＳＤＴＴ（Ｓｏｆｔｗａｒｅ  Ｄｏｗｎｌｏａｄ  Ｔｒｉｇｇｅｒ  Ｔａｂｌｅ）のトランスポートストリーム識別と読み替える受信装置である。
また、本発明の一態様は、ＭＭＴ（ＭＰＥＧ  Ｍｅｄｉａ  Ｔｒａｎｓｐｏｒｔ）で規定されるＭＨ−ＳＤＴＴ（ＭＨ−Ｓｏｆｔｗａｒｅ  Ｄｏｗｎｌｏａｄ  Ｔｒｉｇｇｅｒ  Ｔａｂｌｅ）であって、ダウンロードの告知情報として伝送されるＭＨ−ＳＤＴＴから、元の分配システムのネットワークを規定するラベルであるオリジナルネットワーク識別に配置されたデータを検出する告知情報検出部と、前記告知情報検出部が検出する前記オリジナルネットワーク識別に配置されたデータが、予め定められる放送を指しているか否かを判定する判定部と、前記オリジナルネットワーク識別に配置されたデータがＴＳ（Ｔｒａｎｓｐｏｒｔ  Ｓｔｒｅａｍ）方式の放送を指している場合、有効な前記ＭＨ−ＳＤＴＴと判断し、前記ＭＨ−ＳＤＴＴに配置されたデータのうち予め定められる一部のデータを、前記ＴＳで規定されるＳＤＴＴ（Ｓｏｆｔｗａｒｅ  Ｄｏｗｎｌｏａｄ  Ｔｒｉｇｇｅｒ  Ｔａｂｌｅ）に対応するデータが配置されているものとして、読み替えを行い、前記読み替えに基づいて、ダウンロードコンテンツの受信に前記ＴＳ方式の放送を用いるデータ取得部と、を備え、前記データ取得部は、前記ＭＨ−ＳＤＴＴのＴＬＶストリーム識別を、前記ＴＳで規定されるＳＤＴＴ（Ｓｏｆｔｗａｒｅ  Ｄｏｗｎｌｏａｄ  Ｔｒｉｇｇｅｒ  Ｔａｂｌｅ）のトランスポートストリーム識別と読み替え、さらに、前記ＭＨ−ＳＤＴＴのＭＰＵダウンロードコンテンツ記述子のＤＡＭタイムアウト値、アイテム情報フラグ、アイテム数、アイテム識別、アイテムサイズ、アイテム情報長、アイテム情報バイトを、それぞれ、前記ＳＤＴＴのダウンロードコンテンツ記述子のＤＩＩタイムアウト値、モジュール情報フラグ、モジュール数、モジュール識別、モジュールサイズ、モジュール情報長、モジュール情報バイトとして読み替える受信装置である。
また、本発明の一態様は、上記の受信装置において、前記ＭＨ−ＳＤＴＴを、前記ＭＭＴ方式の放送の伝送路で受信し、前記ＭＨ−ＳＤＴＴでダウンロードを告知された前記ダウンロードコンテンツを、前記ＴＳ方式の放送の伝送路で受信する受信部を備える受信装置である。
また、本発明の一態様は、上記の受信装置において、前記データ取得部は、ビット数の異なるデータを読み替える受信装置である。
【手続補正３】
【補正対象書類名】明細書
【補正対象項目名】００６６
【補正方法】変更
【補正の内容】
【００６６】
また、データ取得部３３７は、ＴＬＶストリーム、または、トランスポートストリーム内における配信データの位置を特定する。ＭＭＴ方式の場合、ＴＬＶストリームにおける配信データの位置の特定は、データ取得部３３７は、例えば、ＭＰＵダウンロードコンテンツ記述子に含まれるＤＡＭタイムアウト値、アイテム情報フラグ、アイテム数、アイテム識別、アイテムサイズ、アイテム情報長、アイテム情報バイト等を参照することにより行われる。ＴＳ方式の場合、トランスポートストリームにおける配信データの位置の特定は、ＤＩＩタイムアウト値、モジュール情報フラグ、モジュール数、モジュール識別、モジュールサイズ、モジュール情報長、モジュール情報バイト等を参照することにより行われる。ここで、判定部３３５によりデータの読み替えが指示されている場合には、データ取得部３３７は、ＭＰＵダウンロードコンテンツ記述子に含まれるＤＡＭタイムアウト値、アイテム情報フラグ、アイテム数、アイテム識別、アイテムサイズ、アイテム情報長、アイテム情報バイトを、それぞれ、ダウンロードコンテンツ記述子のＤＩＩタイムアウト値、モジュール情報フラグ、モジュール数、モジュール識別、モジュールサイズ、モジュール情報長、モジュール情報バイトであるとみなして処理する。
【手続補正４】
【補正対象書類名】明細書
【補正対象項目名】００７３
【補正方法】変更
【補正の内容】
【００７３】
なお、上述した実施形態では、受信装置３１は、ＭＭＴ方式によるダウンロードへも対応することを前提として説明したが、これには限られない。例えば、ＭＭＴ方式によるダウンロードが当面運用されないということも考えられる。そこで、ＭＭＴ方式による告知情報が、ＭＭＴ方式によるダウンロードを示している場合には、配信データの受信のための処理を行わずに無視するように実装してもよい。例えば、図１３のステップ１において、ＭＨ−ＳＤＴＴのオリジナルネットワーク識別が、読み替え対象ネットワーク識別に一致しなければ、ダウンロードしないと判定する。このようにすることで、ＭＭＴ方式の受信機内更新サービスの告知情報を無視することができるため、受信装置３１が無駄に休止状態から自動起動してしまうなどの誤動作を防ぐことができる。